(57)【要約】  ポケットの中に収納された電磁放射線放出デバイスと衣服着用者との間に遮蔽を生じる、電磁放射線を減衰する標準的な単層縫い込み衣服ポケット。
2015533955.tif 000002
【特許請求の範囲】
【請求項１】
衣服用の標準的なポケット構造体であって、該衣服は内側および外側を有し、かつ布を貫通したポケット開口部を有する布を含み、該ポケット構造体は、
互いの間にポケットスペースを形成するように互いに取り付けられた、電磁放射線減衰布の第一および第二の対向した壁部を含む単層縫い込みポケットであって、該第一および第二壁部は該衣服に、該ポケットが該衣服の内側にぶら下がるように、該ポケット開口部の周囲で取り付けられ、該ポケット開口部は該衣服の外側から該ポケットスペース内へのアクセスを提供し；
電磁放射線減衰布は以下の物質：
該布のなかに配置される金属含有繊維
を含み；
電磁放射線減衰布が、天然または合成繊維、あるいはそれらの混合物を更に含む、
単層縫い込みポケットを含む、ポケット構造体。
【請求項２】
電磁放射線放出デバイスから衣服着用者を守る方法であって、以下の工程；
１）電磁放射線減衰布の二つの壁部を形成し；互いの、対応する周辺底部および対向する側辺部に沿って、布の壁部を結合し；標準的な単層ポケットを形成する工程；
２）形成したポケットを衣服の内側にぶら下がるように衣服に縫い付ける工程；
３）ポケットスペースが衣服の外側から、衣服のポケット開口部を通じてアクセス可能であり得、電磁放射線減衰布の二つの壁部を、一着のパンツのウエストバンドのような衣服に確実に取り付け、垂下させ得る工程：
４）形成したポケットが、放出デバイスと衣服着用者の間に放射線バッファゾーンを作り出す工程
を含む、方法。
【請求項３】
互いの間にポケットスペースを形成するように、互いに、かつパンツ布に確実に取り付けられた、第一および第二の電磁放射線減衰布壁部を含む標準的な構造の、前ポケットを含む一着のパンツのための前ポケット構造体。
【発明の詳細な説明】
【技術分野】
【０００１】
本願は、米国特許法第１２０条により、２０１２年１１月９日に出願された「電磁放射線を減衰する標準的な単層縫い込み衣服ポケット」と題された米国特許出願１３／６７３７１２号を基礎とする優先権を主張する。この出願の記載は、その全体が、参照されることにより本書に含まれる。本書では、優先日２０１２年１１月９日が主張されている。
【０００２】
本発明は概して電磁放射線減衰デバイスの分野に、および特には、携帯電話および、その他の電磁放射線の放出を生じるポータブル電子デバイスのための、標準的な（または従来型のもしくは常套的な）単層縫い込みパンツポケットに関する。この標準的な単層縫い込みポケットは、これらデバイスの有害な電磁放射線放出に対する、簡便で一時的な遮蔽を提供しながら、携帯電話または他の電子デバイスの作動を可能にする。
【背景技術】
【０００３】
携帯電話の加入件数は現在、世界的に見て５９億と見積もられ、その利用は増え続けると予想されている。大量の電磁放射線の発生源として言及されてきたという事実にも拘わらず、人々は携帯電話を使い続ける。携帯電話から放出される電磁放射線は概して、使用者の体の最近接部位に向けられる。この放射線は、特に長時間の使用の後に、男女両方に一定の生殖機能被害を生じ得る。携帯電話の電磁放射線の放出と、がんを関連づけた証拠さえある。本発明は、このようなリスクから一時的に自身を守るための簡便な方法を、携帯電話使用者に提供することを目的としている。
【０００４】
適切な遮蔽は、電磁放射線から身を守るのに役立ち得、および過度の暴露によって生じる健康被害を予防し得る。
【０００５】
放射線遮蔽は当該分野において既知である。放射線遮断ポータブルポーチとしてデバイスシステムを衣服に貼り付けることで、またはハンズフリーデバイスを使用することによって、携帯電話のケース形式の、放射線を遮蔽するための携帯電話電磁放射線保護デバイスが考案されている。
【０００６】
しかしながら、既知の電磁放射線保護デバイスは、必要な保護を迅速に提供することに性能が限定されており、および使用者によく知られた簡便な方法に限定されている。
【０００７】
従来技術はラヴィヴらの米国特許出願公開第２０１２／０１８５９９９号に記載されている。
【０００８】
しかしながら、このような既存技術は煩雑であり、放出デバイスを収納するために、衣服の従来の構造を変える方法による、標準的でない方法を提供する。
【０００９】
今日のメディアにおいて、人間に生物学的変化および生殖機能被害を生じさせかねない電磁放射線について、多くの議論がある。放射線暴露と放射線量の間の関連は未だ十分には分かっていない。決定的でない証拠ではあるが、賢明な回避のための理由が十分に存在する。
【発明の概要】
【００１０】
本発明は、携帯電話またはその他の電磁放射線の放出を生じるポータブル電子デバイスのための、電磁放射線を減衰する、標準的な単層縫い込みパンツポケットである。
【００１１】
本発明のある要旨では、この標準的な単層縫い込み減衰ポケットは、携帯電話またはその他の電磁放射線の放出を生じるポータブル電子デバイスを収納するのに十分な大きさの、標準的な単層縫い込みポケットを形成するために、天然または合成の布あるいはそれらの混合物に配置される（または含まれる）金属含有繊維を含む。
【００１２】
本発明の別の要旨では、電磁放射線を減衰する、標準的な単層縫い込みパンツポケットを形成する方法が提供される。この要旨では、単層縫い込み電磁放射線減衰ポケットは、電磁放射線減衰布の壁部を、対応する周辺底部および対向する側辺部に沿って結合して、標準的な単層ポケットを形成することによって形成される。このポケットは、当業者に知られている普通の方法でパンツに縫い付けられ、および衣服の内側の標準的な位置にぶら下がるように位置付けられる。
【００１３】
本発明の別の要旨では、電磁放射線を減衰する、標準的な単層縫い込みパンツポケットを形成する方法が提供される。この要旨では、使用者の携帯電話またはデバイスを改造する必要が無く、標準的でない衣服の構造をとらず、遮蔽のためのポータブルポーチを必要とせず、および電磁放射線放出デバイスに取り付ける物体を必要としない、電磁放射線からの一時的な遮蔽を、使用者が簡便に利用できる方法が提供される。
【００１４】
本発明の追加の機能および利点は、本発明の態様の特徴を例として併せて示している添付の図面と関連した、下記の詳細な説明から明らかにされる。
【図面の簡単な説明】
【００１５】
後の図面は本発明を実施するための例示的な態様を示している。図面において、同様の参照番号は、異なる視点または、異なる本発明の態様における同様の部分を言うものである。
【００１６】
【図１】図１は、携帯電話またはその他の電磁放射線の放出を生じるポータブル電子デバイスのための、電磁放射線を減衰する、標準的な単層縫い込みポケット構造体を含む、一着のパンツの前面わき部分の外側を表す透視図であって、衣服の内側のポケットは仮想線で表されている。
【図２】図２は図１に示されるポケット構造体の２−２線に沿った断面図である。
【図３】図３は本発明のポケット構造体の態様を示している。
【図４】図４は本発明のポケット構造体の他の態様を示している。
【図５】図５は本発明の、電磁放射線を減衰する、標準的な単層縫い込みパンツポケットの作用を表している。
【発明を実施するための形態】
【００１７】
本発明のポケット構造体は本明細書においては、パンツ用の電磁放射線を減衰する前ポケットについて記載されているが、本発明が数多くの他の衣服、およびパンツの他のポケットにもまた利用され得ることは当業者に認識される。
【００１８】
まず図１を参照して、一着のパンツの前面わき部分の外側が示される。このパンツは、布でできたボディ１０を含む。実質的に従来の構造を有するウエストバンド１２が衣服の最上部に含まれる。ウエストバンドから吊り下がっているか、またはぶらさがっているものが、本発明によって構成される電磁放射線減衰ポケット構造体１４である。常套的な方法では、ポケット布を貫通するポケット開口部１６は、本明細書に記載されるように、ポケットへのアクセスを提供する。
【００１９】
図２に示される断面図を参照して、互いの間にポケットスペース２２を形成するように、端部に沿って互いに取り付けられた、２つの対向する電磁放射線減衰布の壁部１８および２０で形成される単層ポケットが、ポケット構造体に含まれている。典型的なものと同様に、ポケットは、衣服の布１０の内側に隣接するようにして衣服の内側にぶら下がっている。第一のポケット壁部１８は衣服の布の内側に隣接し、衣服の布の内側と対向し得る。第一のポケット壁部１８は、このため、「外側の」ポケット壁部と言われることがあり、第二のポケット壁部２０は「内側の」ポケット壁部と言われることがある。
【００２０】
第一および第二のポケット壁部１８および２０は、ポケット開口部１６の下方において、本質的に同じ形状を有し得る。図示されるパンツの前ポケットに関して、ポケット開口部１６からポケットスペース２２の底までの距離は、おおよそ６．５〜７．５インチであり得る。第二の壁部２０は、ウエストバンド１２に縫い込むために十分な量を備えるために、おおよそ１０インチの全長を有し得る。第一の壁部１８はポケット開口部１６へと及ぶように６．７５〜７．７５インチであり得る。第一の壁部１８の最上端部は、第二の壁部２０へ取り付けられても、取り付けられなくてもよい。第一および第二の壁部は、衣服の布１０を第一のポケット壁部１８にポケット開口部１６の布の周囲全体に沿って縫い付けることができるように、ポケット開口部１６よりもわずかに広いことが好ましい。
【００２１】
あるポケットは、第一および第二の壁部１８および２０は、別々の２枚の布よりもむしろ、おおよそ半分に折り畳まれ、空いている端部に沿って縫われた一枚の電磁放射線減衰布で形成され得る。
【００２２】
ある態様によれば、電磁放射線減衰布の壁部１８および２０は、ＳＴＡＴＩＣＯＴＴＭ遮蔽布で形成され得る。ＳＴＡＴＩＣＯＴＴＭ遮蔽布は、カーキ地のような丈夫な布のなかに超微粒ステンレス鋼繊維を備える、ポリエステル／コットン混合物であり、具体的には、３４％のポリエステルと、４１％のコーマ綿と、２５％の高遮蔽金属繊維との混合物であり、これは洗濯可能であり、切断可能であり、また縫製可能である。
【００２３】
電磁放射線減衰布の壁部１８および２０の、ある代替の布は例えば、本明細書に組み込まれた米国特許第４６５３４７３号、４８２５８７７号、６１４６３５１号および６８６８８５４号に記載のＦａｒａｂｌｏｃ（登録商標）を含むが、これに限定されない。このような布の様々な例が、本明細書に組み込まれた文献に開示されており、この布は約２〜約３５重量％の間の伝導性繊維を含む。任意の適切に最適化された布組成物が、所定の状況において使用され得る。
【００２４】
加えて、実質的に連続的な電気伝導ネットワークを布に形成するのに適切な任意の種類の伝導性繊維（金属、カーボンナノチューブ、またはその他の伝導性繊維）を含む、任意の適切な電磁放射線減衰布が使用され得る。この伝導ネットワークは任意の適切な位置で配置され得る。伝導性繊維は、遮蔽布を形成するように、非伝導性繊維と混ぜ合わされ得る。適切な繊維の例には、典型的なテキスタイル繊維、例えばシルク、ウール、またはその他の天然ポリアミド繊維；レーヨン、コットン、またはその他のセルロース系繊維；、あるいはポリエステル、ナイロン、ケブラー、またはその他の合成繊維が含まれる。あるいは、伝導性繊維は、遮蔽布を形成するように、非伝導性布の表面に貼り付けられ得る。後者の場合では、非伝導性布は織物またはテキスタイル布を含み得る。伝導性繊維は、非伝導性布と、上述の、または本明細書中で明確には開示されていないその他の方法を含む、いかなる適切な方法でも組み合わせられ得、このような組み合わせは全て本開示の範囲に該当する。
【００２５】
次に、図３を参照すると、本発明のポケット構造体の態様は、２つの対向する壁部１８および２０で形成される単層の縫い込みパンツポケットであって、「外側の」ポケット壁部１８が電磁波減衰布で形成され、「内側」のポケット壁部２０が電磁波減衰布で形成されるポケットを含む。典型的なもののように、ポケット１４は衣服の内側にぶら下がっている。
【００２６】
次に、図４を参照して、本発明のポケット構造体の他の態様は、２つの対向する壁部１８および２０で形成される単層の縫い込みパンツポケットであって、「外側の」ポケット壁部１８が常套の布で形成され、「内側」のポケット壁部２０が電磁波減衰布で形成されるポケットを含む。典型的なもののように、ポケット１４は衣服の内側にぶら下がっている。
【００２７】
次に、図５を参照して、電磁放射線を減衰する常套的（または標準的）な単層縫い込みパンツポケットの作用を、ポケット１４に収納され、電磁放射線の放出を生じる携帯電話２４によって表す。
【００２８】
説明および図示した衣服のポケット構造体は、従来の衣服に容易に構成および組み込まれる。構成のために、特別なウエストバンドまたはさらに特別な衣服の構造を必要としないので、このポケット構造体の衣服への導入は容易および安価である。
【００２９】
前述したように、本発明の衣服のポケット構造体は、パンツ用いることを意図した態様について述べることによって記載されているが、電磁放射線減衰ポケットはコート、シャツ、およびその他の衣服にもまた使用されうることは当業者に認識される。
【００３０】
本発明の本質から逸脱することのない、前述した態様の構造体についての多くの改変は、当業者にとって明らかである。
【図１】
2015533955.tif 000003
【図２】
2015533955.tif 000004
【図３】
2015533955.tif 000005
【図４】
2015533955.tif 000006
【図５】
2015533955.tif 000007
【国際調査報告】
2015533955.tif 000008
2015533955.tif 000009